(57)【要約】【課題】良好な応答性と監視制御装置間での処理の簡素化を行える分散型電力系統監視制御システムおよび分散型電力系統監視制御システムのデータ更新方法を提供することを目的とする。【解決手段】電力系統を構成する装置を制御する回線単位制御装置が、第１の集中監視制御装置から送信されたデータを受信するデータ受信部と、データ受信部が受信したデータを送信するデータ送信部と、を有する。このため、第１の集中監視制御装置で入力され、その表示部で表示するためのデータを回線単位制御装置経由で第２の集中監視制御装置に送信し、第２の集中監視制御装置で記憶、表示させることができる。この結果、回線単位制御装置経由で第１、第２の集中監視制御装置がデータを共有することができ、良好な応答性と集中監視制御装置間での処理の簡素化を図ることができる。【選択図】　　　図１
2004023845.tif 000002
【特許請求の範囲】
【請求項１】
複数の設備で構成される電力系統を監視制御する第１の集中監視制御装置であって、データを入力する入力部と、該入力部で入力されたデータを記憶する記憶部と、該記憶部に記憶されたデータを表示する表示部と、該入力部で入力されたデータを送信するデータ送信部と、を有する第１の集中監視制御装置と、
前記電力系統を構成する前記複数の設備いずれかに対応して配置され、該いずれかの設備を制御する回線単位制御装置であって、前記第１の集中監視制御装置のデータ送信部から送信されたデータを受信するデータ受信部と、該データ受信部が受信したデータを送信するデータ送信部と、を有する回線単位制御装置と、
前記電力系統を監視制御する第２の集中監視制御装置であって、前記回線単位制御装置のデータ送信部から送信されたデータを受信するデータ受信部と、該データ受信部で受信されたデータを記憶する記憶部と、該記憶部に記憶されたデータを表示する表示部とを有する第２の集中監視制御装置と、
を具備することを特徴とする分散型電力系統監視制御システム。
【請求項２】
複数の設備で構成される電力系統を監視制御する複数の集中監視制御装置であって、データを入力する入力部と、該入力部で入力されたデータを送信するデータ送信部と、データの送信を要求するデータ送信要求を送信する送信要求送信部と、該送信要求送信部からのデータ送信要求に対応して送信されたデータを受信するデータ受信部と、該データ受信部で受信されたデータを記憶する記憶部と、該記憶部に記憶されたデータを表示する表示部と、を有する複数の集中監視制御装置と、
前記電力系統を構成する前記複数の設備いずれかに対応して配置され、該いずれかの設備を制御する回線単位制御装置であって、前記複数の集中監視制御装置いずれかのデータ送信部から送信されたデータを受信するデータ受信部と、該データ受信部が受信したデータを記憶する記憶部と、前記複数の集中監視制御装置いずれかの送信要求送信部から送信されたデータ送信要求を受信する送信要求受信部と、該送信要求受信部で受信されたデータ送信要求に対応して該記憶部に記憶されたデータを送信するデータ送信部と、を有する回線単位制御装置と、
を具備することを特徴とする分散型電力系統監視制御システム。
【請求項３】
前記集中監視制御装置の送信要求送信部が、該集中監視制御装置のイニシャライズ時にデータ送信要求を送信する
ことを特徴とする請求項２記載の分散型電力系統監視制御システム。
【請求項４】
複数の設備で構成される電力系統を監視制御する複数の集中監視制御装置であって、データを入力する入力部と、該入力部で入力されたデータを送信するデータ送信部と、データを受信するデータ受信部と、該データ受信部で受信されたデータを記憶する記憶部と、該記憶部に記憶されたデータを表示する表示部と、を有する複数の集中監視制御装置と、
前記電力系統を構成する前記複数の設備いずれかに対応して配置され、該いずれかの設備を制御する回線単位制御装置であって、前記複数の集中監視制御装置いずれかのデータ送信部から送信されたデータを受信するデータ受信部と、該データ受信部が受信したデータを記憶する記憶部であって、該回線単位制御装置の停止中にデータが保持可能な不揮発性メモリを有する記憶部と、該記憶部に記憶されたデータを送信するデータ送信部と、を有する回線単位制御装置と、
を具備することを特徴とする分散型電力系統監視制御システム。
【請求項５】
前記回線単位制御装置のデータ送信部が、該回線単位制御装置のイニシャライズ時に前記記憶部に記憶されたデータを前記複数の集中監視制御装置に送信する
ことを特徴とする請求項４記載の分散型電力系統監視制御システム。
【請求項６】
前記回線単位制御装置が、前記回線単位制御装置のデータ受信部が受信したデータと前記回線単位制御装置の記憶部が記憶しているデータとを比較し、データが異なるときに該記憶部が記憶しているデータを更新するとともに、更新時刻、更新内容を記録保存するデータ更新部をさらに有する
ことを特徴とする請求項１乃至５に記載の分散型電力系統監視制御システム。
【請求項７】
前記集中監視制御装置が、前記集中監視制御装置のデータ受信部が受信したデータと前記集中監視制御装置の記憶部に記憶されたデータと比較し、データが異なるときに該記憶部が記憶しているデータを更新するとともに、更新時刻、更新内容を記録保存するデータ更新部をさらに有する
ことを特徴とする請求項１乃至５に記載の分散型電力系統監視制御システム。
【請求項８】
複数の設備で構成される電力系統を監視制御する第１の集中監視制御装置でデータを入力する入力ステップと、
前記入力ステップで入力されたデータを前記第１の集中監視制御装置から送信する第１のデータ送信ステップと、
前記電力系統を構成する前記複数の設備いずれかに対応して配置され、該いずれかの設備を制御する回線単位制御装置において、前記第１のデータ送信ステップで送信されたデータを受信する第１のデータ受信ステップと、
前記第１のデータ受信ステップで受信したデータを前記回線単位制御装置から送信する第２のデータ送信ステップと、
前記電力系統を監視制御する第２の集中監視制御装置で、前記送信ステップで送信されたデータを受信する第２のデータ受信ステップと、
前記第２のデータ受信ステップで受信されたデータに基づき前記第２の集中監視制御装置でのデータの更新を行うデータ更新ステップと、
を具備することを特徴とする分散型電力系統監視制御システムのデータ更新方法。
【請求項９】
複数の設備で構成される電力系統を監視制御する第１の集中監視制御装置で、データを入力する入力ステップと、
前記入力ステップで入力されたデータを該第１の集中監視制御装置から送信する第１のデータ送信ステップと、
前記電力系統を構成する複数の設備いずれかに対応して配置され、該いずれかの設備を制御する回線単位制御装置において、前記第１のデータ送信ステップで送信されたデータを受信する第１のデータ受信ステップと、
前記第１のデータ受信ステップで受信したデータを記憶する記憶ステップと、
前記電力系統を監視制御する第２の集中監視制御装置からデータの送信を要求するデータ送信要求を送信する送信要求送信ステップと、
前記送信要求送信ステップで送信されたデータ送信要求を前記回線単位制御装置で受信する送信要求受信ステップと、
前記送信要求受信ステップで受信された送信要求に対応して前記記憶ステップで記憶されたデータを前記回線単位制御装置から送信する第２のデータ送信ステップと、
前記第２のデータ送信ステップで送信されたデータを前記第２の集中監視制御装置で受信する第２のデータ受信ステップと、
前記第２のデータ受信ステップで受信されたデータに基づき前記第２の集中監視制御装置でのデータの更新を行うデータ更新ステップと、
を具備することを特徴とする分散型電力系統監視制御システムのデータ更新方法。
【請求項１０】
複数の設備で構成される電力系統を監視制御する第１の集中監視制御装置で、データを入力する入力ステップと、
前記入力ステップで入力されたデータを該第１の集中監視制御装置から送信する第１のデータ送信ステップと、
前記電力系統を構成する複数の設備いずれかに対応して配置され、該いずれかの設備を制御する回線単位制御装置において、前記第１のデータ送信ステップで送信されたデータを受信する第１のデータ受信ステップと、
前記第１のデータ受信ステップで受信したデータを記憶する記憶ステップと、
前記記憶ステップで記憶されたデータを前記回線単位制御装置から送信する第２のデータ送信ステップと、
前記第２のデータ送信ステップで送信されたデータを前記電力系統を監視制御する第２の集中監視制御装置で受信する第２のデータ受信ステップと、
前記第２のデータ受信ステップで受信されたデータに基づき前記第２の集中監視制御装置でのデータの更新を行うデータ更新ステップと、
を具備することを特徴とする分散型電力系統監視制御システムのデータ更新方法。
【発明の詳細な説明】
【０００１】
【発明の属する技術分野】
本発明は、電力系統を監視する電力系統監視制御システムおよび電力系統監視制御システムのデータ更新方法に係り、特に複数の集中監視制御装置を有する分散型電力系統監視制御システムおよび分散型電力系統監視制御システムのデータ更新方法に関する。
【０００２】
【従来の技術】
近年、変電所、開閉所等での電力系統監視制御に分散型電力系統監視制御システムが用いられている。
従来のシステム構成について説明する。図７は分散型電力系統監視制御システムの装置構成を表すブロック図であり、図８は従来の分散型電力系統監視制御システム２００の機能構成を表すブロック図である。
分散型電力系統監視制御システム２００では、電力系統４全体の監視及び制御を行う２つの集中監視制御装置１−１，１−２、電力系統４の設備毎に分散配置されたｎ個の回線単位制御装置２−１〜２−ｎがＬＡＮ３で結合されている。
【０００３】
集中監視制御装置１が扱う監視制御の情報には、電力系統４の状態を表す電力系統状態情報（以下、オンライン情報という）と操作員の監視制御操作を支援するために手動で設定され、集中監視制御装置１での表示に用いられる電力系統設定情報（以下、オフライン情報という）の２つがある。
オンライン情報の状態変化（以下、系統状変という）が発生した場合は、変化したオンライン情報が入力された回線単位制御装置２からＬＡＮ３を経由し、各々の集中監視制御装置１−１，１−２に状態が自動的に配信される。このため、集中監視制御装置１−１，１−２間の表示状態合わせ処理（以下、データ等価処理という）は不要である。
一方、オフライン情報の状態変化（以下、表示状変）が発生した場合は、一方の集中監視制御装置１において手動で設定した情報を他方の集中監視制御装置１に対して送信することでデータ等価処理を行い、各々の集中監視制御装置１の表示状態を一致させる。
【０００４】
従来システムにおけるオフライン情報の表示更新は以下の手順で行われる。
集中監視制御装置１−１の表示部６−１で手動により設定された表示状変により表示状態記憶部９−１が更新され、監視制御演算部７−１へ送信される。これを受けた監視制御演算部７−１はオフライン情報記憶部１６−１への保存を行うと同時に伝送処理部８−１を介し、ＬＡＮ３を経由して集中監視制御装置１−２へオフライン情報を送信する。
オフライン情報を受信した集中監視制御装置１−２は、これを伝送処理部８−２を介して監視制御演算部７−２へと送る。オフライン情報を受けた監視制御演算部７−２は、これをオフライン情報記憶部１６−２へ保存すると同時に、これに基づき表示状態記憶部９−２の記憶内容の更新を行い表示部６−２の表示状態を更新する。
【０００５】
上記の処理に行うことにより、集中監視制御装置１−１、１−２それぞれが表示しているオフライン情報が互いに一致する。
ここで、２台の集中監視制御装置１のうちどちらでもオフライン情報の設定ができるとすると、集中監視制御装置１―１から集中監視制御装置１−２へ、集中監視制御装置１―２から集中監視制御装置１―１への２方向の等価処理を行うことになる。
【０００６】
【発明が解決しようとする課題】
ところで、集中監視制御装置は２台とは限らず、３台以上の場合が有り得る。通常、変電所には上位の制御所や給電所に変電所情報を送信するための伝送装置（いわゆるテレコン装置）が設置されているが、この伝送装置はオンライン情報・オフライン情報の扱い方としては集中監視制御装置に相当する。即ち、伝送装置の存在を考慮すると、集中監視制御装置に相当する装置が３台以上ある変電所監視制御システムは多い。
【０００７】
このような場合、従来の集中監視制御装置間でデータ等価処理を行う手法では集中監視制御装置がｎ台のときにｎ（ｎ−１）方向の等価処理を準備する必要がある。
しかも、この等価処理は、集中監視制御装置それぞれの運転状態（運転、停止、試験、保守、イニシャライズ中など）をも考慮する必要があるため、かなり複雑な処理となる。
また、ある集中監視制御装置のイニシャライズ時に別の集中監視制御装置が停止している場合や、複数の集中監視制御装置が交互にイニシャライズ処理を行った場合には、データ等価を行うことができない。
さらに、集中監視制御装置が持つオフライン情報に一旦矛盾が生じると（複数の集中監視制御装置が持つ値が互いに異なる）、どれが正しいのかを適切に判断することが困難である。
その上、定常的に行われるオンライン情報の処理と平行して、手動で設定されたオフライン情報のデータ等価処理を集中監視制御装置毎に対向して行う為、集中監視制御装置の処理負荷が一時的に高くなり、応答性の劣化を招く場合がある。
さらに加えて、伝送装置のように、異機種の監視制御装置が混在するシステムでは、データの扱いが少しずつ異なるためになんらかの変換処理も必要である。
【０００８】
以上に鑑み、本発明は、良好な応答性と監視制御装置間での処理の簡素化を行える分散型電力系統監視制御システムおよび分散型電力系統監視制御システムのデータ更新方法を提供することを目的とする。
【０００９】
【課題を解決するための手段】
（１）上記目的を達成するために本明に係る分散型電力系統監視制御システムは、複数の設備で構成される電力系統を監視制御する第１の集中監視制御装置であって、データを入力する入力部と、該入力部で入力されたデータを記憶する記憶部と、該記憶部に記憶されたデータを表示する表示部と、該入力部で入力されたデータを送信するデータ送信部と、を有する第１の集中監視制御装置と、前記電力系統を構成する前記複数の設備いずれかに対応して配置され、該いずれかの設備を制御する回線単位制御装置であって、前記第１の集中監視制御装置のデータ送信部から送信されたデータを受信するデータ受信部と、該データ受信部が受信したデータを送信するデータ送信部と、を有する回線単位制御装置と、前記電力系統を監視制御する第２の集中監視制御装置であって、前記回線単位制御装置のデータ送信部から送信されたデータを受信するデータ受信部と、該データ受信部で受信されたデータを記憶する記憶部と、該記憶部に記憶されたデータを表示する表示部とを有する第２の集中監視制御装置と、を具備することを特徴とする。回線単位制御装置が、第１の集中監視制御装置から送信されたデータを受信するデータ受信部と、データ受信部が受信したデータを送信するデータ送信部と、を有する。従い、第１の集中監視制御装置で入力され、その表示部で表示するためのデータを回線単位制御装置経由で第２の集中監視制御装置に送信し、第２の集中監視制御装置で記憶、表示させることができる。
この結果、回線単位制御装置経由で第１、第２の集中監視制御装置がデータを共有することができ、良好な応答性と集中監視制御装置間での処理の簡素化を図ることができる。
【００１０】
（２）上記目的を達成するために本明に係る分散型電力系統監視制御システムは、複数の設備で構成される電力系統を監視制御する複数の集中監視制御装置であって、データを入力する入力部と、該入力部で入力されたデータを送信するデータ送信部と、データの送信を要求するデータ送信要求を送信する送信要求送信部と、該送信要求送信部からのデータ送信要求に対応して送信されたデータを受信するデータ受信部と、該データ受信部で受信されたデータを記憶する記憶部と、該記憶部に記憶されたデータを表示する表示部と、を有する複数の集中監視制御装置と、前記電力系統を構成する前記複数の設備いずれかに対応して配置され、該いずれかの設備を制御する回線単位制御装置であって、前記複数の集中監視制御装置いずれかのデータ送信部から送信されたデータを受信するデータ受信部と、該データ受信部が受信したデータを記憶する記憶部と、前記複数の集中監視制御装置いずれかの送信要求送信部から送信されたデータ送信要求を受信する送信要求受信部と、該送信要求受信部で受信されたデータ送信要求に対応して該記憶部に記憶されたデータを送信するデータ送信部と、を有する回線単位制御装置と、を具備することを特徴とする。
回線単位制御装置が、複数の集中監視制御装置いずれかのデータ送信部から送信されたデータを受信するデータ受信部と、データ受信部が受信したデータを記憶する記憶部と、複数の集中監視制御装置いずれかの送信要求送信部から送信されたデータ送信要求を受信する送信要求受信部と、送信要求受信部で受信されたデータ送信要求に対応して記憶部に記憶されたデータを送信するデータ送信部と、を有する。このため、複数の集中監視制御装置いずれかで入力され、その表示部で表示するためのデータを回線単位制御装置に送信、記憶させておくことができる。さらに、集中監視制御装置からデータ送信要求を送信することで、回線単位制御装置に記憶されたデータを集中監視制御装置に送信させ、記憶、表示することができる。
この結果、回線単位制御装置を介して複数の集中監視制御装置がデータを共有することができ、良好な応答性と集中監視制御装置間での処理の簡素化を図ることができる。
【００１１】
ここで、前記集中監視制御装置の送信要求送信部が、該集中監視制御装置のイニシャライズ時にデータ送信要求を送信してもよい。
集中監視制御装置のイニシャライズ時に回線単位制御装置に記憶させておいたデータを集中監視制御装置に送信させ、記憶、表示することができる。この結果、複数の集中監視制御装置で入力されたデータ（集中監視制御装置の停止からイニシャライズに至るまでに他の集中監視制御装置で入力されたデータも含め）を再現することができる。
【００１２】
（３）上記目的を達成するために本明に係る分散型電力系統監視制御システムは、複数の設備で構成される電力系統を監視制御する複数の集中監視制御装置であって、データを入力する入力部と、該入力部で入力されたデータを送信するデータ送信部と、データを受信するデータ受信部と、該データ受信部で受信されたデータを記憶する記憶部と、該記憶部に記憶されたデータを表示する表示部と、を有する複数の集中監視制御装置と、前記電力系統を構成する前記複数の設備いずれかに対応して配置され、該いずれかの設備を制御する回線単位制御装置であって、前記複数の集中監視制御装置いずれかのデータ送信部から送信されたデータを受信するデータ受信部と、該データ受信部が受信したデータを記憶する記憶部であって、該回線単位制御装置の停止中にデータが保持可能な不揮発性メモリを有する記憶部と、該記憶部に記憶されたデータを送信するデータ送信部と、を有する回線単位制御装置と、を具備することを特徴とする。
回線単位制御装置が、複数の集中監視制御装置いずれかのデータ送信部から送信されたデータを受信するデータ受信部と、データ受信部が受信したデータを記憶する記憶部であって、該回線単位制御装置の停止中にデータが保持可能な不揮発性メモリを有する記憶部と、該記憶部に記憶されたデータを送信するデータ送信部と、を有する。このため、複数の集中監視制御装置いずれかで入力され、その表示部で表示するためのデータを回線単位制御装置に送信、記憶させておき、適宜に集中監視制御装置に送信させ、記憶、表示することができる。
【００１３】
ここで、前記回線単位制御装置のデータ送信部が、該回線単位制御装置のイニシャライズ時に前記記憶部に記憶されたデータを前記複数の集中監視制御装置に送信してもよい。
回線単位制御装置のイニシャライズ時に回線単位制御装置に記憶させておいたデータを集中監視制御装置に送信させ、記憶、表示することができる。
【００１４】
また、前記回線単位制御装置が、前記回線単位制御装置のデータ受信部が受信したデータと前記回線単位制御装置の記憶部が記憶しているデータとを比較し、データが異なるときに該記憶部が記憶しているデータを更新するとともに、更新時刻、更新内容を記録保存するデータ更新部をさらに有してもよい。
回線単位制御装置の記憶部の記憶内容の更新履歴をとることができる。
【００１５】
さらに、前記集中監視制御装置が、前記集中監視制御装置のデータ受信部が受信したデータと前記集中監視制御装置の記憶部に記憶されたデータと比較し、データが異なるときに該記憶部が記憶しているデータを更新するとともに、更新時刻、更新内容を記録保存するデータ更新部をさらに有してもよい。
集中監視制御装置の記憶部の記憶内容の更新履歴をとることができる。
【００１６】
（４）上記目的を達成するために本明に係る分散型電力系統監視制御システムのデータ更新方法は、複数の設備で構成される電力系統を監視制御する第１の集中監視制御装置でデータを入力する入力ステップと、前記入力ステップで入力されたデータを前記第１の集中監視制御装置から送信する第１のデータ送信ステップと、前記電力系統を構成する前記複数の設備いずれかに対応して配置され、該いずれかの設備を制御する回線単位制御装置において、前記第１のデータ送信ステップで送信されたデータを受信する第１のデータ受信ステップと、前記第１のデータ受信ステップで受信したデータを前記回線単位制御装置から送信する第２のデータ送信ステップと、前記電力系統を監視制御する第２の集中監視制御装置で、前記送信ステップで送信されたデータを受信する第２のデータ受信ステップと、前記第２のデータ受信ステップで受信されたデータに基づき前記第２の集中監視制御装置でのデータの更新を行うデータ更新ステップと、を具備することを特徴とする。
第１の集中監視制御装置で入力され、その表示部で表示するためのデータを回線単位制御装置経由で第２の集中監視制御装置に送信し、第２の集中監視制御装置でのデータの更新を行うことができる。
この結果、回線単位制御装置経由で第１、第２の集中監視制御装置がデータを共有することができ、良好な応答性と集中監視制御装置間での処理の簡素化を図ることができる。
【００１７】
（５）上記目的を達成するために本明に係る分散型電力系統監視制御システムのデータ更新方法は、複数の設備で構成される電力系統を監視制御する第１の集中監視制御装置で、データを入力する入力ステップと、前記入力ステップで入力されたデータを該第１の集中監視制御装置から送信する第１のデータ送信ステップと、前記電力系統を構成する複数の設備いずれかに対応して配置され、該いずれかの設備を制御する回線単位制御装置において、前記第１のデータ送信ステップで送信されたデータを受信する第１のデータ受信ステップと、前記第１のデータ受信ステップで受信したデータを記憶する記憶ステップと、前記電力系統を監視制御する第２の集中監視制御装置からデータの送信を要求するデータ送信要求を送信する送信要求送信ステップと、前記送信要求送信ステップで送信されたデータ送信要求を前記回線単位制御装置で受信する送信要求受信ステップと、前記送信要求受信ステップで受信された送信要求に対応して前記記憶ステップで記憶されたデータを前記回線単位制御装置から送信する第２のデータ送信ステップと、前記第２のデータ送信ステップで送信されたデータを前記第２の集中監視制御装置で受信する第２のデータ受信ステップと、前記第２のデータ受信ステップで受信されたデータに基づき前記第２の集中監視制御装置でのデータの更新を行うデータ更新ステップと、を具備することを特徴とする。
第１の集中監視制御装置で入力されたデータを回線単位制御装置に送信、記憶させておき、第２の集中監視制御装置からデータ送信要求を送信することで、回線単位制御装置に記憶されたデータを第２の集中監視制御装置に送信させ、データの更新を行うことができる。
【００１８】
（６）上記目的を達成するために本明に係る分散型電力系統監視制御システムのデータ更新方法は、複数の設備で構成される電力系統を監視制御する第１の集中監視制御装置で、データを入力する入力ステップと、前記入力ステップで入力されたデータを該第１の集中監視制御装置から送信する第１のデータ送信ステップと、前記電力系統を構成する複数の設備いずれかに対応して配置され、該いずれかの設備を制御する回線単位制御装置において、前記第１のデータ送信ステップで送信されたデータを受信する第１のデータ受信ステップと、前記第１のデータ受信ステップで受信したデータを記憶する記憶ステップと、前記記憶ステップで記憶されたデータを前記回線単位制御装置から送信する第２のデータ送信ステップと、前記第２のデータ送信ステップで送信されたデータを前記電力系統を監視制御する第２の集中監視制御装置で受信する第２のデータ受信ステップと、前記第２のデータ受信ステップで受信されたデータに基づき前記第２の集中監視制御装置でのデータの更新を行うデータ更新ステップと、を具備することを特徴とする。
第１の集中監視制御装置で入力されたデータを回線単位制御装置に送信、記憶させておき、その後、集中監視制御装置に送信させてデータの更新を行うことができる。
【００１９】
【発明の実施の形態】
以下の実施形態では、分散設置された回線単位制御装置にオフライン情報を分散配置し、回線単位制御装置から該当する集中監視制御装置へオフライン情報を配信している。この結果、回線単位制御装置で一元的に管理されたオフライン情報をすべての監視制御装置が共有することができ、良好な応答性と監視制御装置間での処理の簡素化を図ることができる。
【００２０】
以下、図面を参照して本発明の実施の形態を詳細に説明する。
図１は本発明の一実施形態に係る分散型電力系統監視制御システム１００の機能構成を表すブロック図である。なお、分散型電力系統監視制御システム１００の装置構成は従来例と同様に図７で表される。
分散型電力系統監視制御システム１００は、電力系統システムの監視及び制御を行う集中監視制御装置１−１，１−２、電力系統設備毎に分散配置された回線単位制御装置２−１〜２−ｎをＬＡＮ（Ｌｏｃａｌ　Ａｒｅａ　Ｎｅｔｗｏｒｋ）３で接続して構成される。
【００２１】
従来の分散型電力系統監視制御システム２００では集中監視制御装置１がオフライン情報記憶部１６を備えているが、分散型電力系統監視制御システム１００では集中監視制御装置１はオフライン情報記憶部１６を必要としない。一方、回線単位制御装置２がオフライン情報記憶部１０―１〜１０―ｎを有している。
即ち、従来のオフライン情報記憶部１６に記憶されていた情報は、それぞれ関係する回線単位制御装置２―１〜２―ｎに振り分けられ、ｎ個のオフライン情報記憶部１０―１〜１０―ｎに分割して記憶される。
【００２２】
集中監視制御装置１が扱う監視制御の情報は、既述のように主にオンライン情報とオフライン情報の２種類に大別される。
（１）電力系統状態情報（オンライン情報）
オンライン情報は、電力系統４の状態等を表す情報であり、次のように電力系統４から入出力される。
▲１▼電力系統４から回線単位制御装置２−１〜２−ｎに入力され、回線単位制御装置２−１〜２−ｎからＬＡＮ３を経由して、各々の集中監視制御装置１−１，１−２に配信される。
▲２▼集中監視制御装置１−１，１−２からの制御操作により、ＬＡＮ３を経由し回線単位制御装置２−１〜２−ｎから電力系統４へと出力される。
【００２３】
（２）電力系統設定情報（オフライン情報）
オフライン情報は、集中監視制御装置１での表示のみに用いられ、操作員の監視制御操作を支援するための情報である。オフライン情報は、電力系統４には直接作用することがなく、多くの場合に手動で設定される。
オフライン情報の具体例として、制御対象でない機器の状態表示や機器の操作に必要なメモ表示情報、操作禁止中の機器を表す操作禁止設定情報が挙げられる。
【００２４】
分散型電力系統監視制御システム１００の内部構成の詳細につき説明する。
集中監視制御装置１−１、１−２はいずれも電力系統４全体の監視および制御を行う装置であるが、制御所や給電所に変電所情報を送信するために変電所等に設置してある伝送装置（いわゆるテレコン装置）も集中監視制御装置１として取り扱われる場合がある（例えば、オンライン情報、オフライン情報の取り扱いが集中監視制御装置１とほぼ同様の場合）。
集中監視制御装置１−１、１−２はそれぞれ、現在のオンライン情報（系統状変状態）及びオフライン情報（表示状変状態）を表示する表示部６−１、６−２と、表示部６―１、６−２で表示する情報を記憶しておく表示状態記憶部９−１、９−２と、電力系統４の集中監視制御機能に関わる演算を行う監視制御演算部７−１、７−２と、監視制御演算部７−１、７−２にて処理される情報を他の装置と送受信する伝送処理部８−１、８−２から構成される。
【００２５】
回線単位制御装置２−１〜２−ｎはそれぞれ、電力系統４を構成する複数の装置それぞれを制御するものであり、装置それぞれに対応して分散して配置される。回線単位制御装置２−１〜２−ｎはそれぞれ、ＬＡＮ３を介して接続された電力系統４を構成する他の装置との情報の送受信を行う伝送処理部１１−１〜１１−ｎと、回線単位の監視制御演算を行う監視制御演算部１２−１〜１２−ｎと、オンライン情報を保存するオンライン情報記憶部１４−１〜１４−ｎと、集中監視制御装置１から渡されるオフライン情報を保存するオフライン情報記憶部１０−１〜１０−ｎと、電力系統４の情報を入力して監視制御演算部１２−１〜１２−ｎへ渡し、監視制御演算部１２−１〜１２−ｎにて処理された情報を電力系統４へ出力する入出力部１３−１〜１３−ｎで構成される。
【００２６】
以下に分散型電力系統監視制御システム１００でのオンライン情報およびオフライン情報の更新処理の手順を説明する。
なお、以下に示す動作手順は、集中監視制御装置１、回線単位制御装置２に備えられた図示しない記憶部に記憶されたプログラムに基づき行われる。即ち、このプログラムを変更することで、ハードウェアの構成を変更することなく、種々の動作を行わせることができる。
【００２７】
（オンライン情報の更新処理）
オフライン情報の更新処理の説明に先立ち、オンライン情報の更新処理につき説明する。
オンライン情報の表示更新は以下の手順で行われる。
電力系統４にて発生した状態変化が接点信号により回線単位制御装置２−１〜２−ｎの入出力部１３−１〜１３−ｎに入力され、監視制御演算部１２−１〜１２−ｎに受け渡される。これを受けた監視制御演算部１２−１〜１２−ｎは、オンライン情報記憶部１４−１〜１４−ｎに保存されている前回値と今回入力された値の比較を行い、前回値と相違があった場合は伝送処理部１１−１〜１１−ｎを介してＬＡＮ３へ出力する。
【００２８】
集中監視制御装置１−１、１−２ではＬＡＮ３へ出力されたオンライン情報を伝送処理部８−１、８−２で受信し、監視制御演算部７−１、７−２へ受け渡す。これを受けた監視制御演算部７−１、７−２が表示状態記憶部９−１、９−２の更新を行うことにより、表示部６−１、６−２の表示状態が更新される。
【００２９】
上記のように、オンライン情報の状態変化（系統状変）が発生した場合は、該回線単位制御装置からＬＡＮ３を経由し、各々の集中監視制御装置１−１，１−２に状態が配信される為、集中監視制御装置１−１，１−２間の表示状態合わせ処理（以下、データ等価処理）は不要である。
【００３０】
（オフライン情報を変更した場合の更新処理１）
次に、集中監視制御装置１−１でオフライン情報の変更を実施した場合の更新処理につき説明する。
図２は、集中監視制御装置１−１でオフライン情報の変更を実施した場合の分散型電力系統監視制御システム１００の一動作例を表すフロー図である。なお、変更するオフライン情報は回線単位制御装置２−１のオフライン情報記憶部１０―１で管理されているものとする。
【００３１】
集中監視制御装置１−１の表示部６−１でオフライン情報が変更設定される。即ち、集中監視制御装置１−１の図示しない入力部で変更されたオフライン情報が入力される（ステップＳ１１）。
【００３２】
監視制御演算部７−１は入力されたオフライン情報と表示状態記憶部９−１に保存しているオフライン情報と比較し、変化があったときは更新時刻、更新内容を記録保存し、表示部６−１の更新を行う（ステップＳ１２）。
【００３３】
集中監視制御装置１−１は、表示部６−１の表示の更新とともにオフライン情報の変更通知を伝送処理部８−１へ渡す。これを受けた伝送処理部８−１はこのオフライン情報を管理している回線単位制御装置２−１へオフライン情報の変更通知を送信する（ステップＳ１３）。
【００３４】
回線単位制御装置２−１の伝送処理部１１−１は受信したオフライン情報の変更通知を監視制御演算部１２−１へと渡す。監視制御演算部１２−１はオフライン情報記憶部１０−１にオフライン情報の変更内容を保存する（ステップＳ１４）。
【００３５】
この保存後即時に、もう一方の集中監視制御装置１―２に対するオフライン情報の変更通知を伝送処理部１１−１へ返送する。これを受けた伝送処理部１１−１は集中監視制御装置１―２にオフライン情報の変更通知を送信する（ステップＳ１５）。
【００３６】
オフライン情報の変更通知を受信した集中監視制御装置１−２の伝送処理部８−２はこの変更通知を監視制御演算部７−２に渡す。これを受けた監視制御演算部７−２は表示状態記憶部９−２に保存している値と比較し、変化があったときは更新時刻、更新内容を記録保存するとともに、表示部６−２の更新を行う（ステップＳ１６）。
【００３７】
上記の処理に行うことにより、集中監視制御装置１−１が表示しているオフライン情報と集中監視制御装置１−２が表示しているオフライン情報は一致する。
上記の処理では、オンライン情報とオフライン情報の送受信を同一の経路で且つ同様の手順で行えるため、システム全体の監視制御処理を簡素にできる。
オフライン情報とオンライン情報を同じ経路で送受信することは、オフライン情報として扱われていたものがオンライン情報として取り扱われるようになった場合に、その取り扱いの変更を容易に行えることを意味する。例えば、電力系統４の状態がオンラインで取込めないので、やむなくオフライン情報として扱っている、いわゆるオフライン機器（遮断器や断路器）からの情報が、将来にオフライン機器がオンライン機器に変更されたときにも取り扱いの変更を容易に行える。
また、集中監視制御装置１間でのデータ等価処理が不要となり、集中監視制御装置１の負荷を高くすることなくオフライン情報の等価および表示処理を行うことが出来る。
【００３８】
最近のシステムでは、集中監視制御装置１としてパーソナルコンピュータ（Ｐｅｒｓｏｎａｌ　Ｃｏｍｐｕｔｅｒ）やＥＷＳ（Ｅｎｇｉｎｅｅｒｉｎｇ　Ｗｏｒｋ　Ｓｔａｔｉｏｎ）が利用されることが多く、一般に回線単位制御装置２の方が集中監視制御装置１よりも故障率が小さい場合が多い（ＭＴＢＦ：Ｍｅａｎ　Ｔｉｍｅ　Ｂｅｔｗｅｅｎ　Ｆａｉｌｕｒｅ（平均故障間隔）が長い）。従って、分散型電力系統監視制御システム１００を用いることで、従来よりもオフライン情報損失のリスクを低減することができる。
【００３９】
（オフライン情報を変更した場合の更新処理２）
集中監視制御装置１−１でオフライン情報の変更を実施した場合に、図２以外の手順で更新処理を行わせることも可能である。
図３は、集中監視制御装置１−１でオフライン情報の変更を実施した場合の分散型電力系統監視制御システム１００の他の動作例を表すフロー図である。この手順は、図１に示した分散型電力系統監視制御システム１００で行える。即ち、既述のようにプログラムを変更することで、同一のハードウェア構成で、図２の手順と図３の手順のいずれをも実行させることができる。
なお、変更するオフライン情報は回線単位制御装置２−１のオフライン情報記憶部１０―１で管理されているものとする。
【００４０】
集中監視制御装置１−１の表示部６−１でオフライン情報が変更設定される。即ち、集中監視制御装置１−１の図示しない入力部で変更されたオフライン情報が入力される（ステップＳ２１）。
【００４１】
監視制御演算部７−１はオフライン情報の変更通知を伝送処理部８−１へ渡す。これを受けた伝送処理部８−１はこのオフライン情報を管理している回線単位制御装置２−１へオフライン情報の変更通知を送信する（ステップＳ２２）。
即ち、ステップＳ２２で集中監視制御装置１の監視制御演算部７は表示状態記憶部９−１に保存している状態値の更新はするが、更新時刻、更新内容の記録保存はしない（ステップＳ１２に対応するステップが図３にはない）。
【００４２】
回線単位制御装置２−１の伝送処理部１１−１は受信したオフライン情報の変更通知を監視制御演算部１２−１へ渡す。監視制御演算部１２−１はオフライン情報記憶部１０−１に保存している状態値と比較し、変化があったときはオフライン情報の内容を更新して更新時刻、更新内容を記録する（ステップＳ２３）。
即ち、図２のステップＳ１４では記録が行われているが、ステップＳ２３では単なる記録に留まらず更新の確認が行われている。
【００４３】
この更新後即時に、すべての集中監視制御装置１―１、１―２に変更通知するためにオフライン情報の変更通知を伝送処理部１１−１へ返送する。これを受けた伝送処理部１１−１は集中監視制御装置１―１、１―２にオフライン情報の変更通知を送信する（ステップＳ２４）。
即ち、図２のステップＳ１５ではステップＳ１２で集中監視制御装置１−２のみにオフライン情報の変更通知を送信しているのに対して、ステップＳ２４では全ての集中監視制御装置１にオフライン情報の変更通知を送信している。
【００４４】
オフライン情報の変更通知を受信した集中監視制御装置１−１の伝送処理部８−１、８−２は、それぞれ、それを監視制御演算部７―１、７−２に渡す。これを受けた監視制御演算部７―１、７−２はそれぞれ表示状態記憶部９―１、９−２に記憶しているオフライン情報の値を更新して、表示部６―１、６−２の表示が変化する（ステップＳ２５）。
【００４５】
上記の処理に行うことにより、集中監視制御装置１−１が表示しているオフライン情報と集中監視制御装置１−２が表示しているオフライン情報は一致する。
【００４６】
図３の手順で更新処理を行うことで、図２の手順で更新処理を行った場合と同様に、システム全体の監視制御処理を簡素にでき、また、集中監視制御装置１の負荷を高くすることなくオフライン情報の等価および表示処理を行うことが出来る。なお、これ以外にも図２の手順で更新処理を行ったのと同様の利点を享受できる。
【００４７】
さらに、オフライン情報を変更設定した集中監視制御装置１―１が回線単位制御装置からの変更通知返送をもらってから表示状態記憶部９―１の更新を行うので、複数ある集中監視制御装置のデータ更新の同時性が高められる。これにより伝送不良などによりオフライン情報の変更設定した集中監視制御装置１―１の表示状態記憶部９―１だけが更新されてしまうリスクを図２の手順で処理した場合よりも小さくすることができる。
【００４８】
（集中監視制御装置１がイニシャライズした場合の更新処理）
集中監視制御装置１がイニシャライズした場合の更新処理について説明する。
図４は、集中監視制御装置１がイニシャライズした場合の分散型電力系統監視制御システム１００の一動作例を表すフロー図である。
まず、図４の概略を説明する。集中監視制御装置１は、自装置がイニシャライズした時に回線単位制御装置２に対してオフライン情報の全状態の送信を要求する。オフライン情報全状態送信要求を受けた各回線単位制御装置２は記憶しているオフライン情報の全状態を要求した集中監視制御装置１に返送する。
【００４９】
以下に図４の手順の詳細を説明する。
集中監視制御装置１−１のイニシャライズが行われる（ステップＳ３１）。このイニシャライズは、例えば停止している集中監視制御装置１−１を起動するために行われる。
【００５０】
集中監視制御装置１−１の監視制御演算部７−１は自装置のイニシャライズが完了すると回線単位制御装置２全てに対するオフライン情報全状態送信要求を伝送処理部８−１に渡す。これを受けた伝送処理部８−１はオフライン情報全状態送信要求を回線単位制御装置２全てに送信する（ステップＳ３２）。
【００５１】
回線単位制御装置２−１の伝送処理部１１−１は受信したオフライン情報全状態送信要求を監視制御演算部１２−１へ渡す。監視制御演算部１２−１はオフライン情報記憶部１０−１に保存しているオフライン情報の全状態値を取り出して伝送処理部１１−１へ返送する。これを受けた伝送処理部１１−１はオフライン情報の全状態値を集中監視制御装置１―１に送信する。
回線単位制御装置２−２〜２―ｎも同様にオフライン情報の全状態値を集中監視制御装置１―１に送信する（ステップＳ３３）。
【００５２】
回線単位制御装置からオフライン情報全状態値を受信した集中監視制御装置１−１の伝送処理部８−１は、それを監視制御演算部７―１に渡す。監視制御演算部７―１は表示状態記憶部９―１に記憶しているオフライン情報の全状態値を更新して、表示部６―１の表示が更新される（ステップＳ３４）。
【００５３】
以上の動作により、集中監視制御装置１―１が停止していた間（停止後イニシャライズ完了前）に発生したオフライン情報の変更が集中監視制御装置１―１にも反映され、集中監視制御装置１−１が表示しているオフライン情報と集中監視制御装置１−２が表示しているオフライン情報は一致する。
【００５４】
また、無人変電所において、通常は集中監視制御装置１の電源を切っておき、保守員が変電所に行ったときに集中監視制御装置１を立ち上げる運用をするシステムにおいて、集中監視制御装置１でオフライン情報の信頼性を確保できる。
【００５５】
図４の手順を実行することで、送信要求を発行した集中監視制御装置１に対してオフライン情報の状態合わせ処理を簡潔に行うことが出来る。又、イニシャライズした集中監視制御装置１毎に処理を行う為、イニシャライズされない集中監視制御装置１の動作に影響を及ぼすことがない。
【００５６】
また、従来方式では適切なリカバリー方法がなかった集中監視制御装置１が交互にイニシャライズ処理を行った場合でもオフライン情報が損なわれることなくデータの等価が行える様になる。
【００５７】
図４ではイニシャライズの完了に伴って、集中監視制御装置１が回線単位制御装置２全てにオフライン情報全状態送信要求を送信しているが、この送信を集中監視制御装置１の稼働中に（例えば１日１回）行うこともできる。
このようにして、回線単位制御装置２にオフライン情報の全状態を送信させて、オフライン情報の整合性（つまり、集中監視制御装置１が表示しているオフライン情報の値と各回線単位制御装置２が保持しているオフライン情報の値が一致しているか否か）を確認することもできる。
【００５８】
（回線単位制御装置２がイニシャライズした場合の更新処理）
回線単位制御装置２がイニシャライズした場合の更新処理について説明する。
図５は、回線単位制御装置２がイニシャライズした場合の分散型電力系統監視制御システム１００の一動作例を表すフロー図である。ここでは回線単位制御装置２のオフライン情報記憶部１０が不揮発性メモリで構成されていて、回線単位制御装置２が停止しても記憶内容は失われないものとする。
図５の手順を概略的に説明する。回線単位制御装置２は自装置がイニシャライズした時にオフライン情報記憶部１０が記憶しているオフライン情報の全状態をすべての集中監視制御装置１に配信する。
【００５９】
以下に図５の手順の詳細を説明する。
回線単位制御装置２−１のイニシャライズが行われる（ステップＳ４１）。このイニシャライズは停止している回線単位制御装置２−１を起動するために行われる。
【００６０】
回線単位制御装置２−１がイニシャライズすると、この回線単位制御装置２−１の監視制御演算部１２−１は自装置が運転状態で起動したことを判定し、電力系統４の現在状態（オンライン情報）を電力系統４から取得する（ステップＳ４２）。
【００６１】
続いて監視制御演算部１２−１は不揮発性メモリであるオフライン情報記憶部１０−１にイニシャライズ前まで保存されていたオフライン情報と最新オンライン情報を伝送処理部１１−１へ渡す。これを受けた伝送処理部１１−１はすべての集中監視制御装置１−１、１−２へ送信する（ステップＳ４３）。
【００６２】
回線単位制御装置２−１から送信された最新のオンライン情報とオフライン情報は、集中監視制御装置１−１、１−２に通知され、伝送処理部８−１、８−２を介して監視制御演算部７−１、７−２に渡される。これを受けた監視制御演算部７−１、７−２はそれぞれ表示状態記憶部９−１、９−２に保存している値を更新し、表示部６−１、６−２の表示が更新される（ステップＳ４４）。
【００６３】
以上の動作により、回線単位制御装置２−１が保持しているオフライン情報の値がすべての集中監視制御装置１―１、１―２に反映され、集中監視制御装置１−１が表示しているオフライン情報と集中監視制御装置１−２が表示しているオフライン情報は一致する。
また、回線単位制御装置２のイニシャライズ時、該当するすべての集中監視制御装置１に対してオフライン情報の状態合わせ処理を簡潔に行うことが出来る。
【００６４】
以上を纏めると次のようになる。
即ち、上記実施形態では、オフライン情報を回線単位制御装置２で一元管理することにより、オンライン情報と同様のデータの流れを作り上げることができ、監視制御処理の単一化、簡素化が図れる。
また、集中監視制御装置１や回線単位制御装置２のイニシャライズ時などオフライン情報の状態合せが必要な時に、集中監視制御装置１の負荷を通常動作処理以上に高くすることなく、応答性の良好な分散型電力系統監視制御システム１００を得ることが出来る。
さらに、上記実施形態では集中監視制御装置１を２台として説明しているが、データ等価対象となる装置が増加する程、監視制御処理の単一化、簡素化の効果は大きい。
【００６５】
（その他の実施形態）
本発明は上記の実施形態のみには限定されず、拡張、変更することができる。拡張、変更した実施形態も本発明の技術的範囲に含まれる。
（１）例えば、上記実施形態では集中監視制御装置を２台として説明したが、３台以上の集中監視制御装置１がある分散型電力系統監視制御システムでも同様に本発明を実施できる。
そして、集中監視制御装置の数が多いほど、本方式による簡素化の効果は大きい。
【００６６】
（２）図６に示すような集中監視制御装置１と回線単位制御装置２の間に、データ中継装置５が存在する分散型電力系統監視制御システム２００であっても本発明を適用できる。
即ち、集中監視制御装置１と回線単位制御装置２の間に公衆回線やＬＡＮ以外の伝送路が含まれても本発明の実施が可能である。
【００６７】
【発明の効果】
本発明によれば、良好な応答性と監視制御装置間での処理の簡素化を行える分散型電力系統監視制御システムおよび分散型電力系統監視制御システムのデータ更新方法を提供するができる。
【図面の簡単な説明】
【図１】本発明の一実施形態に係る分散型電力系統監視制御システムの機能構成を表すブロック図である。
【図２】集中監視制御装置でオフライン情報の変更を実施した場合の分散型電力系統監視制御システムの一動作例を表すフロー図である。
【図３】集中監視制御装置でオフライン情報の変更を実施した場合の分散型電力系統監視制御システムの他の動作例を表すフロー図である。
【図４】集中監視制御装置がイニシャライズした場合の分散型電力系統監視制御システムの一動作例を表すフロー図である。
【図５】回線単位制御装置がイニシャライズした場合の分散型電力系統監視制御システムの一動作例を表すフロー図である。
【図６】本発明に係る分散型電力系統監視制御システムの一変形例を表すブロック図である。
【図７】分散型電力系統監視制御システムの装置構成を表すブロック図である。
【図８】従来の分散型電力系統監視制御システムの機能構成を表すブロック図である。
【符号の説明】
１００…分散型電力系統監視制御システム
１（１−１〜１−２）…集中監視制御装置
２（２−１〜２−ｎ）…回線単位制御装置
３…ＬＡＮ
４…電力系統
５…データ中継装置
６（６−１〜６−ｎ）…表示部
７（７−１〜７−ｎ）…監視制御演算部
８（８−１〜８−ｎ）…伝送処理部
９（９−１〜９−ｎ）…表示状態記憶部
１０（１０−１〜１０−ｎ）…オフライン情報記憶部
１１（１１−１〜１１−ｎ）…伝送処理部
１２（１２−１〜１２−ｎ）…監視制御演算部
１３（１３−１〜１３−ｎ）…入出力部
１４（１４−１〜１４−ｎ）…オンライン情報記憶部
１５…テレコン装置
【図１】
2004023845.tif 000003
【図２】
2004023845.tif 000004
【図３】
2004023845.tif 000005
【図４】
2004023845.tif 000006
【図５】
2004023845.tif 000007
【図６】
2004023845.tif 000008
【図７】
2004023845.tif 000009
【図８】
2004023845.tif 000010